(57)【要約】【課題】簡易且つコンパクトに構成できるとともに、良好な音響効果を奏することのできる発音機能を備えた収納箱を提供する。【解決手段】本発明の発音装置を備えた収納箱１００は、物品を収納するための収納空間と、音を発する発音装置とを有する発音機能を備えた収納箱であり、外形を構成する外装体１１０と、外装体の内部に嵌合保持された内装体１２０とを具備し、収納空間は内装体の表面１２１に設けられた表側収容凹部１２１ａ，１２１ｂ，１２１ｃにより構成され、内装体の裏面１２２には発音装置１４０を収容可能とするための裏側収容凹部１２２ａが設けられ、表側収容凹部と裏側収容凹部とが相互に平面的に重ならない範囲に構成されている。【選択図】          図１
2005010245.tif 000002
【特許請求の範囲】
【請求項１】
物品を収納するための収納空間と、音を発する発音装置とを有する発音機能を備えた収納箱において、
露出可能に構成された表面部を備えた内装体を具備し、前記収納空間は前記内装体の前記表面部に設けられた表側収容凹部により構成され、前記内装体の裏面部には前記発音装置を収容可能とするための裏側収容凹部が設けられ、
前記表側収容凹部と前記裏側収容凹部とが相互に平面的に重ならない範囲に構成されていることを特徴とする発音機能を備えた収納箱。
【請求項２】
前記表側収容凹部の底部は、前記裏側収容凹部の天井部の高さ位置よりも深い位置に設けられていることを特徴とする請求項１に記載の発音機能を備えた収納箱。
【請求項３】
前記発音装置は、前記内装体の裏側に配置された底板上に固定され、前記内装体には接触していないことを特徴とする請求項１又は２に記載の発音機能を備えた収納箱。
【請求項４】
前記表側収容凹部の形成領域の裏面部分に前記裏側収容凹部に連通する凹溝が設けられていることを特徴とする請求項１乃至３のいずれか一項に記載の発音機能を備えた収納箱。
【請求項５】
前記内装体の前記表面部を露出する上部開口を備えた外装体を具備し、前記内装体は、前記外装体の内部に嵌合保持されていることを特徴とする請求項１乃至４のいずれか一項に記載の発音装置を備えた収納箱。
【請求項６】
前記裏側収容凹部は外周側に開いた片凹部形状を有し、前記発音装置が前記外装体の内面に内側から臨むように構成されていることを特徴とする請求項５に記載の発音機能を備えた収納箱。
【請求項７】
前記上部開口を閉鎖する蓋体を具備することを特徴とする請求項５又は６に記載の発音機能を備えた収納箱。
【請求項８】
前記外装体の側壁には開口部が設けられ、該開口部を内側から開閉可能に構成する開閉手段を有することを特徴とする請求項５乃至７のいずれか一項に記載の発音機能を備えた収納箱。
【請求項９】
前記発音装置はオルゴールであり、前記内装体は木材で構成されていることを特徴とする請求項１乃至８のいずれか一項に記載の発音装置を備えた収納箱。
【発明の詳細な説明】
【０００１】
【発明の属する技術分野】
本発明は発音装置を備えた収納箱に係り、特に、発音装置としてオルゴールを内蔵する場合に好適な収納箱の構造に関する。
【０００２】
【従来の技術】
一般に、へその緒などを収納するように構成された収納箱は古くから知られており、子供が生まれると、へその緒、乳歯などを収納箱に入れて保存し、子供が結婚するときに手渡すなどの風習も知られている（例えば、以下の特許文献１乃至３参照）。
【０００３】
一方、オルゴールなどの発音装置を内蔵した収納箱は、従来からインテリアや身の回り品などを収納するために用いられている（例えば、以下の特許文献４参照）。これらの中には、上記のようにへその緒を収納する収納箱にオルゴールを内蔵したものも知られている（例えば、以下の特許文献５参照）。
【０００４】
【特許文献１】
実公昭１１−７０７０号公報
【特許文献２】
実開昭５８−１０３７８２号公報
【特許文献３】
特開２００２−１４５３６９号公報
【特許文献４】
実用新案登録第３０６８２２５号公報
【特許文献５】
実公昭６３−２８９５７号公報
【０００５】
【発明が解決しようとする課題】
しかしながら、特許文献４及び５に記載された上記従来のオルゴールを収容した収納箱は、オルゴール収容室を収容部の裏側に設ける必要があるため、収納空間が限定されたり、或いは、収納箱の厚さが増大したりするという問題点がある。また、オルゴール収容室の上に平面的に重なるようにへその緒などの収納室を構成するために仕切り板などを適宜に配置する必要があるなど、全体として内部構造が複雑になり、組立作業にも手間がかかるといった問題点がある。
【０００６】
また、オルゴールなどの発音装置を収納箱に内蔵する場合には、良好な音響効果をも持たせる必要があるが、このために上記の特許文献５に記載されているように共鳴空間を設けると、収納箱全体がさらに大型化してしまうという問題点がある。
【０００７】
そこで本発明は上記問題点を解決するものであり、その課題は、簡易且つコンパクトに構成できるとともに、良好な音響効果を奏することのできる発音機能を備えた収納箱を提供することにある。
【０００８】
【課題を解決するための手段】
上記課題を解決するために本発明の発音機能を備えた収納箱は、物品を収納するための収納空間と、音を発する発音装置とを有する発音機能を備えた収納箱において、露出可能に構成された表面部を備えた内装体を具備し、前記収納空間は前記内装体の前記表面部に設けられた表側収容凹部により構成され、前記内装体の裏面部には前記発音装置を収容可能とするための裏側収容凹部が設けられ、前記表側収容凹部と前記裏側収容凹部とが相互に平面的に重ならない範囲に構成されていることを特徴とする。
【０００９】
この発明によれば、内装体の表面部に表側収容凹部を設けて収納空間を構成し、同じ内装体の裏面部には裏側収容凹部を設けて発音装置の収容空間を構成することにより、内部構造を簡易に構成することが可能になり、組立作業も容易に行うことができるようになる。また、表側収容凹部と裏側収容凹部とが相互に平面的に重ならない範囲に構成されているため、収納箱の厚さを低減することも可能になる。さらに、内装体の裏側収容凹部内に発音装置が配置されていると同時に表側収容凹部が設けられていることにより、発音装置から発せられた音が内装体に伝達され、内装体の表面部、特に表側収容凹部の内面、から効率的に放出されることにより、良好な音響効果を容易に得ることが可能になる。
【００１０】
より具体的には、内装体は一体に構成され、上記表側収容凹部及び裏側収容凹部は内装体の表面部及び裏面部の一部をそれぞれくり抜いた形状に構成される。内装体としては、単板もしくは合板からなる木材であることが望ましい。
【００１１】
本発明において、前記表側収容凹部の底部は、前記裏側収容凹部の天井部の高さ位置よりも深い位置に設けられていることが好ましい。これによれば、表側収容凹部と裏側収容凹部とが厚さ方向の一部範囲に重なるように設けられることとなるため、それぞれの収容凹部の収容積を確保しつつ、収納箱をコンパクトに構成できる。また、表側収容凹部と裏側収容凹部とが水平方向に隣接して配置されることになるため、表側収容凹部の内側面と裏側収容凹部の内側面との間に内装体の内壁部が存在することになり、当該内壁部を通して伝達された音も表側収容凹部の内側面から出力されることになるため、より良好な音響効果を得ることができる。
【００１２】
本発明において、前記発音装置は、前記内装体の裏側に配置された底板上に固定され、前記内装体には接触していないことが好ましい。裏側収容凹部内における発音装置の配置態様としては、発音装置を裏側収容凹部の天井部に固定することも可能である。しかし、裏側収容凹部内の空間を共鳴室として用い、ここで共鳴した音を内装体を通じて外部に伝えるためには、発音装置が内装体には直接接触していないことが好ましい。この場合、内装体の裏側に配置された底板上に発音装置を固定することが望ましい。この底板は、例えば、内装体の裏面上に密接した状態で（すなわち、裏側収容凹部をほぼ閉鎖した状態で）固定されることが望ましい。これによって、裏側収容凹部の内部空間が共鳴室として画成されることになるため、発音装置から発せられる音を効率的に内装体に伝達できる。これらの場合において、例えば発音装置がオルゴールであるときには、底板に伝達された振動によって大きな音響効果が生ずるが、この底板から発せられる音も内装体によって効率的に上方へ放出される。
【００１３】
本発明において、前記表側収容凹部の形成領域の裏面部分に前記裏側収容凹部に連通する凹溝が設けられていることが好ましい。これによれば、裏側収容凹部に連通する凹溝が表側収容凹部の形成領域の裏面部分に形成されていることにより、裏側収容凹部の内部空間に発せられた音が凹溝を通過して内装体における表側収容凹部の形成領域のより広い範囲に伝達される。したがって、特に表側収容凹部の形成領域の表面部分からより効率的に音を放出させることが可能になるため、より良好な音響効果を得ることができる。また、内装体の下方に底板を配置する場合には、凹溝によって裏側収容凹部と連通する共鳴空間が画成される。
【００１４】
本発明において、前記内装体の前記表面部を露出する上部開口を備えた外装体を具備し、前記内装体は、前記外装体の内部に嵌合保持されていることが好ましい。これによれば、収納箱の外形を外装体によって構成し、収納物に合わせて表側収容凹部を形成した内装体を適宜に外装体に装着するだけで、用途に合わせた収納箱を簡単に構成できる。この外装体は、例えば枠状若しくは筒状に構成される。
【００１５】
本発明において、前記裏側収容凹部は外周側に開いた片凹部形状を有し、前記発音装置が前記外装体の内面に内側から臨むように構成されていることが好ましい。これによれば、収納箱の外寸を変えなくても、発音装置の収容空間を増大することができるとともに、発音装置の発した音を直接外装体に伝えることができるため、放音効率をさらに向上させることができる。ここで、外周側に開いた片凹部形状とは、仮想的に裏側収容凹部を形成する前の内装体を想定した場合に、この仮想的な内装体の外周側面の一部が裏側収容凹部を形成することによって除去されることとなる裏側収容凹部の形状を言う。
【００１６】
本発明において、前記上部開口を閉鎖する蓋体を具備することが好ましい。この蓋体によって内装体の露出する表面部を閉鎖することができる。この場合、蓋体の開閉状態に応じて発音装置が動作するように構成することが好ましい。たとえば、蓋体を開くと発音装置が音を発し、蓋体を閉じると音を停止させるように構成することが望ましい。
【００１７】
本発明において、前記外装体の側壁には開口部が設けられ、該開口部を内側から開閉可能に構成する開閉手段を有することが好ましい。外装体に設けられた開口部を開閉する開閉手段を有することによって、開口部を開いて発音装置の発した音をより効率的に外部に放出させるように構成できる。また、上記開閉手段は開口部を内側から開閉可能に構成するため、外観デザインにほとんど影響を与えないように構成できる。ここで、上部開口を閉鎖する蓋体を有する場合には、上記開閉手段を蓋体の開閉状態に連動させることがより好ましい。例えば、前記蓋体が閉鎖されているときに前記開口部を閉鎖し、前記蓋体を開いたときに前記開口部を開くように構成することが望ましい。
【００１８】
本発明において、前記発音装置はオルゴールであり、前記内装体は木材で構成されていることが好ましい。発音装置がオルゴールである場合には、内装体を木材で構成することにより、より良好な音響効果を得ることができる。この場合、内装体は、単板であっても、合板であってもよい。また、上記底板も木材で構成されることが望ましい。この場合、底板の発音装置を固定する内面は焼きを入れることによりさらに良好な音響効果を得ることができる。さらに、上記外装体も木材で構成されることが望ましい。上記の木材は桐であることが収納品の保存性を高める上で最も望ましい。
【００１９】
【発明の実施の形態】
次に、添付図面を参照して本発明に係る発音機能を備えた収納箱の実施形態について詳細に説明する。図１は、本実施形態の収納箱１００の概略構造を示す分解斜視図、図２は、同実施形態の収納箱１００の縦断面図である。
【００２０】
収納箱１００は、図１に示すように枠状に構成された外装体１１０と、この外装体１１０の内側に嵌合保持される内装体１２０とを有する。外装体１１０は４つの外壁部１１１を連結した矩形枠状（或いは筒状）に構成され、その上部開口の開口縁に内張枠１１２が設けられている。外装体１１０は、桐などの木材で構成される。
【００２１】
また、内装体１２０は、上記外装体１１０の内側に嵌合されるように構成されている。より具体的には、内装体１２０は上記外壁部１１１によって囲まれた内部にほぼ嵌合する外周形状を有し、図示下方から外装体１１０内に挿入すると、上記内張枠１１２の下端部に当接して係止されるように構成されている。このとき、内装体１２０の表面部１２１は外装体１１０の上部開口を通して露出した状態となる。内装体１２０の表面部１２１には表側収容凹部１２１ａ，１２１ｂ，１２１ｃが形成され、上方から収納品（へその緒、乳歯、お守り、母子手帳など）を収納できるように構成されている。また、内装体１２０の裏面部１２２には裏側収容凹部１２２ａが形成されている。この裏側収容凹部１２２ａは、外周側に一部開くように構成された片凹部形状を有し、この裏側収容凹部１２２ａによって構成される内部空間が上記外装体１１０の外壁部１１１の内側面に直接臨むように構成されている。
【００２２】
上記の表側収容凹部１２１ａ，１２１ｂ，１２１ｃの形成領域と、裏側収容凹部１２２ａの形成領域とは相互に平面的に重ならないように構成されている。これによって、表側収容凹部１２１ａ，１２１ｂ，１２１ｃの深さと、裏側収容凹部１２２ａの深さとを相互に影響されることなく任意に設定できる。本実施形態では、図２に示すように、表側収容凹部１２１ａ，１２１ｂ，１２１ｃの少なくとも一つの底部１２１ｖは、裏側収容凹部１２２ａの天井部１２２ｕよりも深い位置に構成されている。
【００２３】
内装体１２０は、一体の単一材、或いは、複数の部材を一体に固着したものによって構成される。この場合、単一の板材に上記表側収容凹部及び裏側収容凹部を穿設してもよく、或いは、複数の板材を貼り合わせた合板で構成してもよい。内装体１２０を合板で構成する場合には、合板を加工して上記表側収容凹部及び裏側収容凹部を構成してもよく、上記表側収容凹部及び裏側収容凹部が形成されるように固着前の各板材を予め適宜に加工してから積層固定するようにしてもよい。
【００２４】
上記内装体１２０の下方には底板１３０が配置される。この底板１３０上には発音装置１４０が固定されている。図示例では、発音装置１４０としてオルゴールが示されている。このオルゴールは、図２に示すように、底板１３０を貫通して導出された巻き鍵１４１を備えている。この発音装置としては、図示例の上記オルゴールの他に、集積回路メモリ、磁気記録媒体、光記録媒体等を備えた電子発音装置などを用いてもよい。発音装置１４０は、図２に示す組立状態において、裏側収容凹部１２２ａの内面には接触しないように配置されている。
【００２５】
底板１３０は、外装体１１０の内部に内装体１２０に続いて下方から挿入嵌合され、内装体１２０に対して下方から当接した状態で、ねじ止め、接着、溶接などの適宜の手段によって外装体１１０若しくは内装体１２０に対して固定される。より具体的には、外装体１１０の内側に下方から内装体１２０を挿入し嵌合させてから、底板１３０を外装体１１０の内部に下方から挿入し、内装体１２０を下方から支持する状態とする。さらに底板１３０を下方から支持するようにその下方位置に図２に示す支持部材１３１を配置し、この支持部材１３１を外装体１１０の内側面に固定することが好ましい。この場合、支持部材１３１は釘やねじなどによって着脱可能に外装体に対して取り付けられることが望ましい。このようにすれば、支持部材１３１を取り外すことによって内装体１２０及び底板１３０を容易に取り外すことができる。また、内装体１２０及び底板１３０に何ら損傷を与えることなく、組立及び分解ができるようになるといった利点がある。
【００２６】
ここで、底板１３０は、外壁部１１１の下端よりもある程度上方に配置されることが好ましい。例えば、外壁部１１１の下端から底板１３０の下面までの距離は、２〜５０ｍｍ程度であることが好ましく、特に、音響効果を高めるためには、３〜１５ｍｍ程度であることが望ましい。これは、発音装置１４０の発する音が底板１３０と設置面との間で共鳴することにより或る程度の音響効果が得られるからである。なお、本実施形態では、外装体１１０の角部近傍において上記支持部材１３１を外装体１１０よりも下方に突出するように構成することによって、外装体１１０の下端部と設置面との間に３ｍｍ程度の隙間ができるように構成した。
【００２７】
なお、発音装置１４０には連動部材１４２が連結されている。この連動部材１４２は、外装体１１０の外壁部１１１に設けられた連通孔１１１ｂを通して上方へ伸び、発音装置１４０に設けられた弾性部材、或いは、別に設けられた弾性部材により上方に付勢され、その上端が外壁部１１１の上縁端面１１１ａ上に突出する。そして、この連動部材１４２が外壁部１１１の上縁端面１１１ａから上方に突出している状態では発音装置１４０は音を発するが、連動部材１４２が下方に押し下げられると発音装置１４０は停止し、音を発しない状態となる。より具体的には、発音装置１４０が図示例のオルゴールである場合には、上記の連動部材１４２は、機械式オルゴールであればゼンマイを停止する係止部、電動オルゴールであれば駆動モータのスイッチなどに接続される。
【００２８】
収納箱１００には、上記外装体１１０の上方開口を閉鎖するように装着される蓋体１５０が設けられる。この蓋体１５０は、外装体１１０の外壁部１１１の上縁端面１１１ａと密接し、しかも、この上縁端面１１１ａから上方に突出する内張枠１１２に対して外側から嵌合するように構成されている。また、この収納箱１００は、上記内装体１２０の表面部１２１を覆うように構成され、外装体１１０の内張枠１１２の内側に嵌合する内蓋１６０を備えている。この内蓋１６０には、内蓋１６０の開閉時に用いるための紐などで構成された把持部１６１が設けられている。
【００２９】
上記実施形態においては、内装体１２０に設けられた表側収容凹部１２１ａ，１２１ｂ，１２１ｃと裏側収容凹部１２２ａとが平面的に重ならない位置に形成されているため、表側収容凹部１２１ａ，１２１ｂ，１２１ｃの深さと、裏側収容凹部１２２ａの高さとを無関係に設定することが可能になることから、収納箱１００全体を容易且つコンパクトに構成できる。このとき、上記のように表側収容凹部１２１ａ，１２１ｂ，１２１ｃの底部１２１ｖが裏側収容凹部１２２ａの天井部１２２ｕよりも深い位置に形成されていることにより、収納箱１００の厚さを抑制しても、表側収容凹部１２１ａ，１２１ｂ，１２１ｃの深さや裏側収容凹部１２２ａの高さを大きく確保することができる。
【００３０】
また、本実施形態では、外装体１１０の内側に内装体１２０が嵌合保持された構造を有し、この内装体１２０に表側収容凹部１２１ａ，１２１ｂ，１２１ｃ及び裏側収容凹部１２２ａを共に設けたことにより、部品点数が少なくなるとともに、組立内容も簡易になることから、組立作業を容易に行うことができるようになる。
【００３１】
さらに、本実施形態では、裏側収容凹部１２２ａ内に配置された発音装置１４０から発せられる音は、裏側収容凹部１２２ａ内から内装体１２０に伝達され、これが表面部１２１、特に表側収容凹部１２１ａ，１２１ｂ，１２１ｃの内面、から外部へ放出されるため、従来構造よりも良好な音響効果を得ることができる。このとき、上記のように表側収容凹部１２１ａ，１２１ｂ，１２１ｃの底部１２１ｖが裏側収容凹部１２２ａの天井部１２２ｕよりも深く形成されていることにより、裏側収容凹部１２２ａの内部空間から見て内装体１１０の一部内壁部を介して側方に表側収容凹部１２１ａ，１２１ｂ，１２１ｃが存在することになるため、音響振動の伝播効率をより高めることができ、また、表側収容凹部を深く形成することによりその内面の面積も大きくなるため、全体として収納箱１００の音響効果をより向上させることができる。なお、この音響効果については後に詳述する。
【００３２】
図３には、上記実施形態の内装体１１０の代わりに用いることのできる内装体１７０の概略斜視図を示す。この内装体１７０は、上記と同様に、表面部１７１及び裏面部１７２を有し、表面部１７１には表側収容凹部１７１ａ，１７１ｂが設けられ、裏面部１７２には裏側収容凹部１７２ａが設けられている。この裏側収容凹部１７２ａが外側に開いた片凹部形状を有する点も上記内装体１１０と同様である。
【００３３】
この内装体１７０には、表側収容凹部１７１ａ，１７１ｂの形成領域の裏面部分に凹溝１７２ｘ、１７２ｙが設けられている。凹溝１７２ｘ、１７２ｙは裏側収容凹部１７２ａに開口し、その内部空間に連通している。この凹溝１７２ｘ、１７２ｙを設けることにより、裏側収容凹部１７２ａの内部において発音装置１４０が発した音は、表側収容凹部１７１ａ，１７１ｂの形成領域の裏面部分に導かれることによって、或いは、凹溝１７２ｘ、１７２ｙの内部にて共鳴することによって、より良好な音響効果を発揮する。
【００３４】
図４は、上記実施形態の外装体１１０の代わりに用いることのできる別の外装体１８０の構造を示す概略斜視図である。この外装体１８０は、外装体１１０とほぼ同様に、矩形枠状の外壁部１８１と、この外壁部１８１の上部開口の開口縁に設けられた内張枠１８２とを有する。ただし、この外装体１１０においては、外壁部１８１の一部（より具体的には、外壁部１８１の相互に対向する一対の外壁面）に開口部１８１ｃが設けられている点で、上記実施形態の外装体１１０とは異なる。また、外壁部１８１には、開口部１８１ｃが形成された外壁面やその両端に接続される外壁面との間の角部近傍に案内溝１８１ｄ，１８１ｅが形成されている。
【００３５】
上記の案内溝１８１ｄ、１８１ｅは、外壁部１８１の内面に沿って上下に移動可能に配置された遮蔽部材１８３を案内するように構成されている。より具体的には、遮蔽部材１８３には、開口部１８１ｃを内側から閉鎖可能な遮蔽部１８３ａと、この遮蔽部１８３ａに固定され、上方に伸びる連動部１８３ｂとを有している。連動部１８３ｂは、上記案内溝１８１ｅの内部を通って上方へ伸び、外壁部１８１の上縁端面１８１ａから内張枠１８２の表面に沿って上方へ突出可能に構成されている。また、遮蔽部１８３ａの左右両端部は上記案内溝１８１ｄに嵌合し、やはり上下方向に摺動可能に構成されている。遮蔽部材１８３の下端には弾性部材１８４が配置され、この弾性部材１８４は遮蔽部材１８３を常に上方へ付勢している。なお、図示例では、弾性部材１８４は案内溝１８１ｄの下部に収容されている。ただし、遮音部１８３の下端を上方へ押圧する弾性部材をトーションスプリングで構成してもよい。
【００３６】
蓋体１５０が開いている場合には、弾性部材１８４によって遮蔽部材１８３が上方へ付勢されているため、その連動部１８３ｂの上部が外壁部１８１の上縁端面１８１ａから上方へ突出し、開口部１８１ｃは開放された状態となっている。この状態で、蓋体１５０を外装体１８０に装着すると、蓋体１５０によって連動部１８３ｂが下方へ押し下げられ、これによって、遮蔽部材１８３の遮蔽部１８３ａが開口部１８１ｃを内側から閉鎖する。
【００３７】
この外装体１８０においては、蓋体１５０を外装体１８０から離反させることにより開口部１８１ｃが開口するので、上記発音装置１４０から発せられる音をより効率的に外部へと放出することができる。また、蓋体１５０を外装体１８０に装着することにより開口部１８１ｃが遮蔽部材１８３により閉鎖されるため、収納箱内部が外部から視認できなくなり、外観上の違和感も低減できる。
【００３８】
次に、上記構造の収納箱１００について背景音１３ｄＢの無響室内において音圧レベルの測定を実施したので、その結果を説明する。なお、以下に説明する測定は全て同一のオルゴールを用いて行った。最初に、三脚上に設置した厚さ２０ｍｍの合板の上に底板１３０上にオルゴールを固定したものを角材などを介して高さ９ｍｍの間隔をもつように載置し、底板１３０の材質や構成を変えて音圧レベルの測定を実施した。このとき、底板１３０の厚さは全て６ｍｍであり、いずれも底板１３０の中央部直上４００ｍｍの位置にマイクを設置して測定を行った。その結果、底板に楢材を用いた場合には７５〜７７ｄＢ、檜材を用いた場合には７９ｄＢ、桐材を用いた場合には７７〜７８ｄＢであった。また、上記の桐材の上にメラミン樹脂を貼り合わせたものを用いた場合には６２ｄＢ、ポリカーボネートの厚さ３ｍｍの板を用いた場合には６７ｄＢであった。
【００３９】
上記のように、底板１３０としては、通常、木材を用いることが好ましく、また、木材の中でも硬い木材を用いるほど音圧レベルが高くなった。また、木材の表面をバーナなどによって焼く（こげ茶色の焼き色が付く程度に焼く）ことによって、音圧レベルが高くなることが判明した。例えば、上記の桐材の表面（オルゴールが固定されている面）を焼いたものでは、７９〜８０ｄＢの音圧が得られた。また、オルゴールを搭載した桐材からなる底板１３０の下に同じ桐材を９ｍｍ間隔で配置したものを上記と同様に測定したところ、桐材そのものを用いた場合には音圧レベルは７７ｄＢ、オルゴールを搭載した底板１３０の表裏両面及び下方の桐材の上面を焼いた場合には音圧レベルは７９ｄＢとなった。さらに、木材を用いる場合には、板目を有する板よりも柾目を有する板のほうがより高い音圧が検出された。
【００４０】
上記の結果から、底板１３０としては木材を用いること、発音装置１４０を固定する面を焼くこと、木材としては硬質なものを用いること、木材の木目は柾目であることなどが好ましいことがわかる。ここで、桐材に防虫効果があることを勘案すると、本発明の収納箱１００の底板としては桐材の表面を焼いたものが最も望ましい。また、内装体１１０，１７０の裏側収容凹部の内面にも上記と同様の焼きを入れることにより、より高い音響効果が得られることがわかった。
【００４１】
次に、外装体１１０、底板１３０として上面に焼きを入れたものを用いた収納箱１００を、蓋体１５０及び内蓋１６０を除去した状態で、上記と同様に外装体１１０の中央部の直上位置であって、外装体１１０の上端から４００ｍｍ上方の位置にマイクを設置して測定を行った。このとき、収納箱１００は三脚上に設置した厚さ２０ｍｍの合板上に載置した。その結果、内装体１２０を用いた場合には７４ｄＢ、内装体１７０を用いた場合には７６〜７７ｄＢの音圧レベルが測定された。また、内装体１２０を用い、外装体１１０の代わりに外装体１８０を用いた場合には７６ｄＢの音圧レベルであった。
【００４２】
また、上記と同様に外装体１１０、上面に焼きを入れた底板１３０及び内装体１７０を用いた収納箱１００であって蓋体１５０及び内蓋１６０を除去したものを、三脚上に設置した厚さ２０ｍｍの合板上に厚さ１ｍｍの遮音シート（住宅用遮音シート、大建工業社製）上に載置し、さらに、外装体の下端に存在する僅かな隙間を木材などで閉鎖した状態とすることにより、底板下方及び設置面からの音の放出を抑制して、収納箱の内部から発せられる音を測定した。ここでは、上記と同じ厚さ３０ｍｍの内装体１２０を用いて、図２に示す表側収容凹部と裏側収容凹部との水平方向の距離（以下、単に「内壁厚」という。）Ａを３３ｍｍで一定とし、表側収容凹部の底部下の厚さ（以下、単に「底部厚」という。）Ｂを３０ｍｍ（すなわち表側収容凹部無しの場合）〜３ｍｍ（すなわち表側収容凹部の深さが２７ｍｍの場合）の範囲で変化させたときの音圧レベルの変動具合を調べた。その結果を図５（ａ）に示す。
【００４３】
表面部１２１に凹部がない場合である底部厚Ｂが３０ｍｍの場合には音圧レベルは５９〜６１ｄＢ程度であるが、底部厚Ｂが２０ｍｍ以下１０ｍｍ程度の範囲では音圧レベルは６３〜６４ｄＢ程度まで上昇し、底部厚Ｂが３〜７ｍｍの範囲では、音圧レベルは６４〜６６ｄＢまで上昇した。これらのデータは、表側収容凹部の存在によって音響効果が向上していること、及び、表側収容凹部の深さが増大するに従って音響効果が高まることを示している。ここで、表側収容凹部の底部が裏側収容凹部の天井部とほぼ等しくなるのは、底部厚Ｂが約２０〜２２ｍｍ程度の領域Ｓであり、この領域Ｓでは、底部厚Ｂの減少に伴う音圧レベルの上昇率が他の領域よりも大きく、音響効果が大幅に変化していることが判明した。換言すれば、底部厚Ｂが領域Ｓの近傍以下になると、すなわち内装体に設けられた表側収容凹部の深さが裏側収容凹部の天井部よりも浅くなると、急激に音響効果が悪化することがわかる。
【００４４】
次に、上記と同様に遮音シートを用いた状態で、上記と同様の内装体（厚さ３０ｍｍ）の内壁厚Ａと底部厚Ｂを共に変化させた場合における音圧レベルの測定データを図５（ｂ）に示す。図中の▲１▼は内壁厚Ａ＝３３ｍｍで底部厚Ｂ＝３０ｍｍ（表側収容凹部なし）の場合、▲２▼は内壁厚Ａ＝３０ｍｍで底部厚Ｂ＝２３ｍｍの場合、▲３▼は内壁厚Ａ＝２４ｍｍで底部厚Ｂ＝１８ｍｍの場合、▲４▼は内壁厚Ａ＝１７ｍｍで底部厚Ｂ＝１２ｍｍの場合、▲５▼は内壁厚Ａ＝１０ｍｍで底部厚Ｂ＝７ｍｍの場合、▲６▼は内壁厚Ａ＝３ｍｍで底部厚Ｂ＝３ｍｍの場合をそれぞれ示す。この場合には、内壁厚Ａ及び底部厚Ｂが共に薄くなるに従って音圧レベルが増大していく。また、表側収容凹部の底部が裏側収容凹部の天井部とほぼ等しくなる底部厚２０〜２２ｍｍの領域Ｓを上記と同様に図中に示してある。
【００４５】
この測定データでは、図５（ａ）に示す測定データよりも音圧レベルの変動幅が大きくなっている。したがって、底部厚Ｂだけでなく、内壁厚Ａによる音響効果への影響も存在することがわかる。すなわち、内壁厚Ａが薄くなるほど音響効果が向上する。また、領域Ｓの前後近傍では上記と同様に音圧レベルの変化が他の領域よりも大きいことから、上述と同様に表側収容凹部の底部と裏側収容凹部の天井部との位置関係が音響効果に大きな影響を及ぼしているものと考えられる。
【００４６】
なお、上記のように収納箱１００を構成して測定した音圧レベルは、底板１３０上に発音装置１４０を搭載したものについて測定した音圧レベルよりも若干低い値を示しているが、これは、底板とマイクとの間に内装体や外装体が介在しているためと思われる。しかし、実際に聴覚で比較した場合、収納箱１００から感じられる音は、底板と発音装置のみで感じられる音とほとんど同様の大きさに感じられるだけでなく、より豊かな音質を備えたものであるように思われた。これは、内装体及び外装体によって内部に画成される空間による共鳴効果などによるものと考えられる。
【００４７】
以上説明したように、本実施形態では、内装体に表側収容凹部と裏側収容凹部とを共に設けることによって良好な音響効果を得ることができる。特に、裏側収容凹部の内部に配置された発音装置から発せられた音は、表側収容凹部の底部に伝播して表側収容凹部の内面から外部へと放出される。また、表側収容凹部の底部が裏側収容凹部の天井部よりも深く形成されている場合には、表側収容凹部と裏側収容凹部との間に配置される内壁部を介しても音が伝播し、この音も表側収容凹部の内側面から外部へ放出されるため、音響効果がより高められるものと考えられる。
【００４８】
尚、本発明の発音装置を備えた収納箱は、上述の図示例にのみ限定されるものではなく、本発明の要旨を逸脱しない範囲内において種々変更を加え得ることは勿論である。例えば、上記実施形態では、発音装置が内装体とは直接接触しないように別の底板に固定されているが、内装体の裏側収容凹部の天井部に発音装置を固定した場合でも、良好な音響効果が得られる。
【００４９】
【発明の効果】
以上、説明したように本発明によれば、収納箱をコンパクトに構成することができる。また、簡易に構成できるため、組立作業を容易に行うことができる。さらに、収納箱をコンパクトに構成しても音響効果を高めることができる。
【図面の簡単な説明】
【図１】本発明に係る発音装置を備えた収納箱の主要構成を示す概略分解斜視図。
【図２】同収納箱の縦断面図。
【図３】異なる内装体の構造を示す概略斜視図。
【図４】異なる外装体の構造を示す概略斜視図。
【図５】内装体の寸法パラメータ（内壁厚Ａ、底部厚Ｂなど）を変えて測定した収納箱の音圧レベルを示すグラフ（ａ）及び（ｂ）である。
【符号の説明】
１００…収納箱、１１０…外装体、１１１…外壁部、１１２…内張枠、１２０…内装体、１２１…表面部、１２１ａ，１２１ｂ，１２１ｃ…表側収容凹部、１２２…裏面部、１２２ａ…裏側収容凹部、１３０…底板、１４０…発音装置、１５０…蓋体、１６０…内蓋、１７２ｘ，１７２ｙ…凹溝、１８１ｃ…開口部、１８３…遮蔽部材
【図１】
2005010245.tif 000003
【図２】
2005010245.tif 000004
【図３】
2005010245.tif 000005
【図４】
2005010245.tif 000006
【図５】
2005010245.tif 000007